(57)【要約】【課題】ＡＣアダプタ使用時には、バッテリ残量の表示方法を変えることによってユーザーが安心して使用でき、広い電圧範囲でＡＣアダプタ設計が可能となる撮像装置を提供することにある。【解決手段】複数種のバッテリ１９、２０とＡＣアダプタ１８とを選択的に使用可能な電源部を有する撮像装置において、使用電源種類を判別する電源種類判別手段２９と、バッテリ電圧を検出する電圧検出手段１７と、検出したバッテリ電圧と所定のしきい値に基づいてバッテリ残量を算出する演算手段２１と、バッテリ残量を表示する表示手段２２とを有し、前記ＡＣアダプタ１８使用時には参照するしきい値をバッテリ用のしきい値の中で最も低いしきい値と同じにする。【選択図】      図１
2004363954.tif 000002
【特許請求の範囲】
【請求項１】
複数種のバッテリとＡＣアダプタとを選択的に使用可能な電源部を有する撮像装置において、使用電源種類を判別する電源種類判別手段と、バッテリ電圧を検出する電圧検出手段と、検出したバッテリ電圧と所定のしきい値に基づいてバッテリ残量を算出する演算手段と、バッテリ残量を表示する表示手段とを有し、前記ＡＣアダプタ使用時には参照するしきい値をバッテリ用のしきい値の中で最も低いしきい値と同じにすることを特徴とする撮像装置。
【請求項２】
バッテリ端子とＡＣアダプタ端子が別々に設けられたとき、前記電源種類判別手段として判別スイッチを使用することを特徴とする請求項１に記載の撮像装置。
【請求項３】
前記ＡＣアダプタには、前記バッテリと同じ端子から電力を供給するダミーバッテリを含むことを特徴とする請求項１に記載の撮像装置。
【請求項４】
前記ＡＣアダプタが前記ダミーバッテリのとき、前記電源種類判別手段として電池温度端子を使用することを特徴とする請求項３に記載の撮像装置。
【請求項５】
前記ＡＣアダプタ使用時には、ＡＣアダプタ用のバッテリ残量表示記号を使用することを特徴とする請求項１に記載の撮像装置。
【発明の詳細な説明】
【０００１】
【発明の属する技術分野】
本発明は、バッテリとＡＣアダプタとを選択的に使用可能な電源部を有する、電子画像を撮像・再生する撮像装置（カメラ）に関するものである。
【０００２】
【従来の技術】
バッテリとＡＣアダプタとを選択的に使用可能な電源部を有する撮像装置において、バッテリとＡＣアダプタを識別してＡＣアダプタ使用時には、バッテリ残量を表示させないようにすることは知られている（例えば、特許文献１参照）。図８は従来の一般的な撮像装置の全体構成を示すブロック図である。この図は一般的な撮像装置としてデジタルカメラの構成を示したものである。このデジタルカメラＡは光学レンズ１、メカニカルシャッタ２、撮像素子３、Ｓ／Ｈ回路４、Ａ／Ｄ回路５を含んでいる。
デジタルカメラＡは、また、タイミング発生器６、シャッタ駆動回路７、システムコントローラ８、操作スイッチ９、ＤＲＡＭ１０、画像表示装置１１、画像データコントローラ１２、画像圧縮回路１３、画像記録メディア１４、ＥＥＰＲＯＭ１５、ＤＣ−ＤＣコンバータ１６、電圧検知部１７、ＡＣアダプタ１８、第１のバッテリ１９および第２のバッテリ２０を含んでいる。
被写体から得られる光信号は、光学レンズ１の焦点距離を変化させることによって、被写体の拡大、縮小およびピント調整が行われ撮像素子３上に集光し像を形成する。
撮像素子３上には、フォトダイオードが規則正しく２次元に配列され、電荷転送路として垂直ＣＣＤ（電荷結合デバイス）と水平ＣＣＤがあり、フォトダイオードの光電変換機能により、入射した光量に応じた電荷を蓄積し、光信号を電気信号に変換する。
撮像素子３に入射する光量は、撮像素子３手前のメカシャッタ２と撮像素子３内部の電子シャッタによって調整が可能である。１個のフォトダイオードは１画素に相当し、一般的にフォトダイオード上には、Ｒ（レッド）、Ｇ（グリーン）、Ｂ（ブルー）のいずれか１つのカラーフィルタと、より多くの光を取り込むためにマイクロレンズが取り付けられている。
【０００３】
フォトダイオードに蓄積された電荷は、読み出しパルスに従って垂直ＣＣＤに読み出され、垂直ＣＣＤから水平ＣＣＤを通って、水平１ラインずつ出力アンプから出力される。撮像素子３からの信号はＳ／Ｈ（サンプル／ホールド）回路４に入り、サンプルホールドされて、各画素に対応したデータが抽出される。
Ａ／Ｄ回路５では、Ｓ／Ｈ回路４からのアナログ信号をデジタル信号に変換する。Ａ／Ｄ回路５からの信号は、画像データコントローラ１２に入り画像処理が行われる。
画像処理時のデータの一時的な記憶場所としてＤＲＡＭ１０が用いられている。Ａ／Ｄ回路５から出力されたデジタルデータが、画像データコントローラ１２に入ると、まずＲＧＢ補間処理が行われる。
一般にフォトダイオード上には、１色のカラーフィルタが付いているため、１画素に対してＲ、Ｇ、Ｂのいずれか１つの色しかデータを保持していない。そのため、周りの画素の情報から演算で残りの２色の補間を行う。
次に、ガンマ補正を行い画像のトーン（階調）を調整する。その後、画像表示用と画像保存用にＲＧＢ信号をＹＵＶ変換によって輝度信号（Ｙ）と色差信号（Ｕ、Ｖ）に変換する。
この他にも画像のエッジ部分を処理して画像にメリハリをつけるエッジ強調を行っているものもある。画像表示装置１１では、撮像中および撮像した画像を表示装置用に信号変換を行った後表示される。
【０００４】
画像圧縮回路１３では、画像データをＪＰＥＧなどのフォーマット規格に準拠した圧縮／伸張を行い、その後画像記録メディア１４（スマートメディア、コンパクトフラッシュ（登録商標）など）に保存する。ＥＥＰ（電気的に消去可能なプログラム可能な）ＲＯＭは１５、電気的消去およびプログラム可能なＲＯＭで、装置を最適に動作させるためのプログラムやデータが保存されており、システムコントローラ８は操作スイッチ９などから得られる信号に応じてＥＥＰＲＯＭ１５からデータを読み出しシステム制御を行っている。
ここで操作スイッチ９には、レリーズスイッチ、電源スイッチ、撮影／再生モード切り換えスイッチなどが含まれる。タイミング発生器６は、撮像素子３、Ｓ／Ｈ回路４、Ａ／Ｄ回路５、画像データコントローラ１２の動作タイミングを制御している。
第１のバッテリ１９、第２のバッテリ２０は、例えば、ニッケル水素電池、リチウムイオン電池、ニッカド（ＮｉＣｄ）電池、アルカリ電池等からなり、場合によってはＡＣアダプタ１８により電源電圧が供給されることもある。
ＤＣ−ＤＣコンバータ１６を介して電源電圧をデジタルカメラＡの内部に供給する。ＤＣ−ＤＣコンバータ１６はコントローラの制御により、デジタルカメラ内部に出力する各種電源をオン／オフするスイッチ回路を内蔵している。
【０００５】
図９はバッテリ駆動機器のバッテリ残量の表示記号を示す概略図である。近年、デジタルカメラなどの携帯機器ではバッテリ駆動が一般的となっており、ほとんどのバッテリ駆動機器でバッテリ残量の表示が行われている。
バッテリ残量表示には、常にバッテリ残量記号を表示して、バッテリ残量の変化に応じて図９（ａ）から（ｅ）のように順次バーを減らしていくものや、図９の（ｄ）と（ｅ）の記号を使ってバッテリ残量が少なくなったときだけ、バッテリ残量が少ないことを知らせるものなど様々である。
これにより、ユーザーはバッテリ残量を認識でき、バッテリの交換タイミングを的確に知ることで安心して機器を使用することができる。
バッテリ残量を検知する方法として、従来からバッテリの端子電圧からバッテリ残量を推測する方法が用いられている。バッテリの端子電圧は、機器の使用に伴って徐々に低下していく。
機器が動作するには最低限必要とする駆動電圧があり、最近では、バッテリの性能を最大限に引き出し、機器の使用時間を延ばすために、最低駆動電圧は引き下げられる傾向にある。電源電圧が最低駆動電圧を下回るとシステムが停止し、データ破壊やＩＣの故障などの問題が生じる。
そのため、システムが停止する電圧値になる前に、バッテリ残量がエンドに近いことをユーザーに知らせ、機器を正常に終了させる処理を行うことが必要となる。
これを実現するために、一般的にバッテリチェックテーブル（以下、Ｂ．Ｃ．テーブル）が用いられている。Ｂ．Ｃ．テーブルは、ＥＥＰＲＯＭ１５に保存されており、機器を制御するための基準となる電圧値（しきい値）が設定されている。
【０００６】
図１０はバッテリの放電特性を示す図である。図において、縦軸はバッテリの端子電圧、横軸は電力供給時間、つまり機器の使用時間になる。ここでＢ．Ｃ．テーブルのしきい値は、Ｖｂ、Ｖｃ、Ｖｄ、Ｖｅとなり、バッテリ端子電圧がＶｅになったときシステムの終了処理を行う。
また、図１０のように、電力供給時間をＴ１、Ｔ２、Ｔ３、Ｔ４とすると、Ｔ１の期間では、図９（ａ）の記号、Ｔ２では図９（ｂ）の記号、Ｔ３では図９（ｃ）の記号、Ｔ４では図９（ｄ）の記号をそれぞれ表示し、システム終了処理前には図９（ｅ）の記号を表示しユーザーにバッテリエンドであることを知らせる。
このように、基準となる電圧レベルをＢ．Ｃ．テーブルに複数箇所設定し、バッテリ端子電圧が基準電圧レベルを下回ったときバッテリ残量表示記号を変更し、バッテリエンドに達したときシステム動作の終了処理を行っている。
【特許文献１】特開平１１−２７５７６８号公報
【０００７】
【発明が解決しようとする課題】
さらに、バッテリ電圧レベルは、モニタリング、フォーカス、画像記録などの動作シーケンスによって大きく変動するため、Ｂ．Ｃ．テーブルも動作シーケンスごとに設定されることが多い。
最近では、バッテリ駆動に加え、室内でコンセントから家庭用電源を利用できるようにＡＣアダプタ接続端子を備えている携帯機器も多い。そして、機器の小型化や部品コスト低減などの観点からＤＣ−ＤＣコンバータへの入力をバッテリとＡＣアダプタを共通化している。
そのため、ＡＣアダプタの出力電圧をバッテリ電圧と同等レベルに設計する場合が多く、バッテリとほぼ同形状でバッテリ入力端子から電力を供給するダミーバッテリ構造のＡＣアダプタも増えてきている。
ダミーバッテリ構造のＡＣアダプタの場合、安全回路をダミーバッテリ側に持たせることで、機器本体側の部品点数の削減ができ、機器の軽量、小型化が可能であるという利点がある。ＡＣアダプタを用いた場合には、バッテリとは異なりバッテリ残量表示の必要はなく、ユーザーにとってバッテリ残量表示は意味をなさない。
しかし、ダミーバッテリ構造のＡＣアダプタでは、バッテリと同じ端子から電力を供給するため、バッテリとダミーバッテリとの判別ができず、バッテリ用のＢ．Ｃ．テーブルがそのまま使用さることが多い。
ＡＣアダプタの出力電圧は一定であるのが理想的であるが、ＡＣアダプタ接続端子部分の汚れや接触部での接触抵抗の増加などにより入力電圧の低下が生じることもあり、バッテリと同じＢ．Ｃ．テーブルを用いるとＢ．Ｃ．テーブルで設定した電圧値に引っ掛かり、バッテリ残量が少ないと表示される恐れがある。
また、ＡＣアダプタの出力電圧の設計では、バッテリの出力よりも高い電圧（例えば、図１０だとＶｂ以上）に規定され、設計の柔軟性が失われる。そこで、特許文献１では、バッテリとＡＣアダプタを識別してＡＣアダプタ使用時には、バッテリ残量を表示させないようにしている。
しかし、ＡＣアダプタ使用時に全くバッテリ残量を表示させないと、ＡＣアダプタに故障が生じたとき、ユーザーは電圧の低下などの異常に気付くことなく機器の使用を続け、機器の故障を引き起こす可能性がある。
そこで、本発明の目的は、上記の課題を解決するために、ＡＣアダプタ使用時には、バッテリ残量の表示方法を変えることによってユーザーが安心して使用でき、広い電圧範囲でＡＣアダプタ設計が可能となる撮像装置を提供することにある。
【０００８】
【課題を解決するための手段】
前記の課題を解決するために、請求項１記載の発明では、複数種のバッテリとＡＣアダプタとを選択的に使用可能な電源部を有する撮像装置において、使用電源種類を判別する電源種類判別手段と、バッテリ電圧を検出する電圧検出手段と、検出したバッテリ電圧と所定のしきい値に基づいてバッテリ残量を算出する演算手段と、バッテリ残量を表示する表示手段とを有し、前記ＡＣアダプタ使用時には参照するしきい値をバッテリ用のしきい値の中で最も低いしきい値と同じにする撮像装置を最も主要な特徴とする。
請求項２記載の発明では、バッテリ端子とＡＣアダプタ端子が別々に設けられたとき、前記電源種類判別手段として判別スイッチを使用する請求項１に記載の撮像装置を主要な特徴とする。
請求項３記載の発明では、前記ＡＣアダプタには、前記バッテリと同じ端子から電力を供給するダミーバッテリを含む請求項１に記載の撮像装置を主要な特徴とする。
請求項４記載の発明では、前記ＡＣアダプタが前記ダミーバッテリのとき、前記電源種類判別手段として電池温度端子を使用する請求項３に記載の撮像装置を主要な特徴とする。
請求項５記載の発明では、前記ＡＣアダプタ使用時には、ＡＣアダプタ用のバッテリ残量表示記号を使用する請求項１に記載の撮像装置を主要な特徴とする。
【０００９】
以下、図面により本発明の実施の形態を詳細に説明する。図１は複数種のバッテリとＡＣアダプタとを選択的に使用可能な電源部を有する撮像装置の構成を示すブロック図である。
複数種のバッテリ１９、２０とＡＣアダプタ１８とを選択的に使用可能な電源部を有する撮像装置において、ＡＣアダプタ使用時には参照するしきい値をバッテリ用のしきい値の中で最も低いものと同じにする。なお、従来例で説明した構成については説明を省略する。
この撮像装置Ａでは、バッテリ１９、２０とＡＣアダプタ１８のどちらか一方を選択的に利用可能な電源部と、使用電源種類を判別する判別部２９と、バッテリ残量を検出するためのバッテリ端子電圧を検知するバッテリ電圧検知部１７を備えている。
また、バッテリ端子電圧とＢ．Ｃ．テーブルとを比較する比較部２１（システムコントローラ内）と、比較部２１での結果に基づいてバッテリ残量を表示するバッテリ残量表示装置２２とを有している。ここで、バッテリ残量表示装置２２は画像表示装置１１の中に設けてもよい。
図２は本発明での電源種類判別の実施を説明するフローチャートである。電源電圧が供給されると、電源種類判別部２９では電源がバッテリであるかＡＣアダプタであるかを判別する（Ｓ１）。
ＡＣアダプタであると判別すると（Ｓ２）、バッテリ用Ｂ．Ｃ．テーブルでしきい値の低い方を選択する。第１のバッテリ１９であると判別すると（Ｓ４）、第１のバッテリ用Ｂ．Ｃ．テーブルを使用し（Ｓ５）、第２のバッテリ２０であると判別すると（Ｓ６）、第２のバッテリ用Ｂ．Ｃ．テーブルを使用する（Ｓ７）。
本実施の形態では、バッテリＡとバッテリＢは、バッテリ形状が異なり、また接続端子も別々にあり同時に２つのバッテリを装着できないものとして説明を行うが、本発明はこれに限定されるものではない。
【００１０】
図３は判別スイッチを用いてバッテリとＡＣアダプタの判別を行う構成を示す回路図である。その判別スイッチＣの構成を説明すると、ＡＣアダプタ１８、第１のバッテリ１９、第２のバッテリ２０のそれぞれの接続端子の１８ａ、１９ａ、２０ａの正極側にはデジタルトランジスタ２３、２４、２５が接続されている。
デジタルトランジスタ２３、２４、２５には、ＤＣ−ＤＣコンバータ１６からバイアスが印加されており、デジタルトランジスタ２３、２４、２５がオフ（接続端子の正極側がＬ（低い）、つまりオープン）のとき、システムコントローラ８のポートに入力される信号はＨ（高い）になる。
図３でＡＣアダプタ１８が接続されると、ＡＣアダプタ１８の接続端子１８ａの正極側がＨになり、デジタルトランジスタ２３がオンし、Ｄ点の電圧がＬになる。システムコントローラ８はポート１がＬのときＡＣアダプタ１８が接続されたと認識できる。
同様に、第１および第２のバッテリ１９、２０においてもそれぞれポート２、ポート３がＬのとき、バッテリが接続されたと認識できる。バッテリ１９、２０とＡＣアダプタ１８が同時に接続された時には、ポート１とポート２またはポート３がＬになる。
このような場合には、ポート１の重み付けを高く設定して、ポート１がＬのときには他のポートの入力信号を使用しないようにし、ＡＣアダプタ１８が接続されたと認識すればよい。
本発明の他の実施の形態では、ダミーバッテリ（擬似電池）構造のＡＣアダプタを含むとしている。ダミーバッテリ構造では、カメラとの接続部がバッテリと同形状をしており、さらに接続端子もバッテリと同じであるため、バッテリかＡＣアダプタかの識別が難しい。そこで、バッテリの温度端子Ｔ２７（図５参照）を用いることを特徴とする。
現在、デジタルカメラで用いられるバッテリは、様々な種類があるけれども、その中で主流となっているのがリチウムイオン電池である。リチウムイオンは、充電可能、高エネルギー密度、自己放電が小さいなど多くの利点があり、今後も携帯機器で期待されるバッテリである。
最近のリチウムイオン電池には、正極、負極の端子に加えて、安全性のために温度端子が付属している。温度端子は電池の充電や機器使用時のバッテリの温度をモニタリングする端子である。
電池が高温になり過ぎるといった異常時には電池の出力を停止させる安全弁の操作を行う。温度端子の構造は、温度に対して温度端子に接続されている抵抗の抵抗値が変化するというものである。
【００１１】
図４は電源バッテリとしてリチウムイオン電池が接続された場合を示す概略ブロック図である。以下、図４を用いて判別方法について説明する。
リチウムイオン電池１９、２０が接続されたとき、抵抗Ｒ１と温度端子Ｔ２７の抵抗Ｒ２によってＶｔの電圧が分圧され、分圧された電圧値をＡ／Ｄ変換部５でＡ／Ｄ変換してシステムコントローラ８に入力する。
Ｒ２の抵抗値は温度によって変化するため、システムコントローラ８に入力するＡ／Ｄ値には幅があり、本来の目的であるバッテリの温度を監視することも可能である。
図５は電源としてダミーバッテリが接続された場合を示す概略ブロック図である。図５のようにダミーバッテリ（擬似電池）２６の温度端子Ｔ２７を負極端子に接続することにより、ダミーバッテリ２６が接続されたときには、システムコントローラ８に入力するＡ／Ｄ変換値は一定である。
これにより、上記Ａ／Ｄ変換位が一定か否かを見れば電池に新たな細工をすることなくリチウムイオン電池とＡＣアダプタ１８を判別することができる。
図６は本発明によるバッテリの放電特性を示す図である。図６に示すようにバッテリは種類によって、開始電圧や終止電圧が異なるので、Ｂ．Ｃ．テーブルには、バッテリの種類（例えば、リチウムイオン電池やアルカリ電池など）ごとにバッテリチェックのしきい値を登録しておく必要がある。
本発明では、複数種のバッテリが使用可能であるので、第１のバッテリ１９用のＢ．Ｃ．テーブルのしきい値をＴＡ（ＶＡ１、ＶＡ２）、第２のバッテリ２０用のＢ．Ｃ．テーブルのしきい値をＴＢ（ＶＢ１、ＶＢ２）とする。
【００１２】
図７は従来例に関連して示した図９（ｄ）示したバッテリ残量の表示記号にＡＣを付した本発明に用いるバッテリ残量表示記号を示す概略図である。ここで、ＶＡ１、ＶＢ１は図７の表示記号２８が表示される電圧（ニアエンド電圧）、ＶＡ２、ＶＢ２は図９（ｅ）の記号が表示される電圧（エンド電圧）とし、ニアエンド電圧（ＶＡ１およびＶＢ１）より高い電圧値ではバッテリ残量記号が表示されないようにする。
第１のバッテリ１９が用いられたときには、Ｂ．Ｃ．テーブルＴＡを用いて電力制御を行い、第２のバッテリ２０が用いられたときにはＢ．Ｃ．テーブルＴＢを用いる。また、ＡＣアダプタ１８のＢ．Ｃ．テーブルには、バッテリ用のＢ．Ｃ．テーブルの中でしきい値の最も低いものを用いる。
図６の場合では、第２のバッテリ２０用のＢ．Ｃ．テーブルＴＢが第１のバッテリ１９用のＢ．Ｃ．テーブルＴＡよりしきい値が低いので（ＶＡ１＞ＶＢ１、ＶＡ２＞ＶＢ２）、ＡＣアダプタ用のＢ．Ｃ．テーブルには第２のバッテリ用のＢ．Ｃ．テーブルＴＢが用いられる。
バッテリによっては、ＶＡ１＞ＶＢ１、ＶＡ２＜ＶＢ２となるものもあるかもしれないので、この場合には、ＶＡ１＞ＶＢ１の関係を優先させて、ニアエンド電圧のしきい値が低い第２のバッテリ用のＢ．Ｃ．テーブルＴＢを用いればよい。
以上により、ＡＣアダプタ１８では、Ｂ．Ｃ．テーブルのしきい値の低い方にしたがって広い電圧範囲でニアエンド記号が表示されず、ユーザーはバッテリ残量が表示されないことで違和感を抱くことなく安心して機器を使用することができる。
一方で、ＡＣアダプタ１８の故障により、電圧が低下したときには、ニアエンド表示記号（図７の２８）が表示されるのでユーザーは、ＡＣアダプタ１８の異常に気付き、機器の使用を中止するので安全性にも優れている。
【００１３】
【発明の効果】
以上説明したように、請求項１によれば、ＡＣアダプタ使用時にはしきい値の低いバッテリ用のＢ．Ｃ．テーブルを用いることで、通常時はバッテリ残量が表示されないので、ユーザーは安心して機器を使用することができる。
また、ＡＣアダプタの設計においては、ＡＣアダプタの出力電圧をバッテリ電圧よりも高い電圧値に規定する必要もなく広い電圧範囲で設計をすることができる。
請求項２によれば、判別スイッチを用いてバッテリとＡＣアダプタの判別を行うので、ユーザーは容易にかつ安全に機器を使用することができる。
請求項３によれば、安全回路をダミーバッテリ側に持たせることができるので、機器本体側の部品点数の削減ができ、機器の軽量、小型化が可能である。
請求項４によれば、バッテリの温度端子を用いているので、ダミーバッテリかＡＣアダプタかの識別を容易に行うことができる。
請求項５によれば、ユーザーは通常時はバッテリ残量が表示されず、ＡＣアダプタが故障した時だけバッテリ残量とは異なる表示記号を表示するので違和感を抱くことなく安心して機器を使用することができる。
【図面の簡単な説明】
【図１】本発明の実施形態による複数種のバッテリとＡＣアダプタとを選択的に使用可能な電源部を有する撮像装置の構成を示すブロック図である。
【図２】本発明での電源種類判別の実施形態を説明するフローチャートである。
【図３】本発明の実施形態における判別スイッチを用いてバッテリとＡＣアダプタの判別を行う構成を示す回路図である。
【図４】本発明の実施形態における電源としてリチウムイオン電池が接続された場合を示す概略ブロック図である。
【図５】本発明の実施形態における電源としてダミーバッテリが接続された場合を示す概略ブロック図である。
【図６】本発明の実施形態におけるバッテリの放電特性を示す図である。
【図７】本発明の実施形態におけるバッテリ残量表示記号を示す概略図である。
【図８】従来の一般的な撮像装置の全体構成を示すブロック図である。
【図９】従来のバッテリ駆動機器のバッテリ残量の表示記号を示す概略図である。
【図１０】従来のバッテリの放電特性を示す図である。
【符号の説明】
８  システムコントローラ
１７  電圧検出手段（電圧検知部）
１８  ＡＣアダプタ
１９  第１のバッテリ
２０  第２のバッテリ
２１  システムコントローラの比較部
２２  バッテリ残量表示装置
２６  ダミーバッテリ
２８  ＡＣアダプタ用バッテリ残量表示記号
２９  電源種類判別部（判別手段）
【図１】
2004363954.tif 000003
【図２】
2004363954.tif 000004
【図３】
2004363954.tif 000005
【図４】
2004363954.tif 000006
【図５】
2004363954.tif 000007
【図６】
2004363954.tif 000008
【図７】
2004363954.tif 000009
【図８】
2004363954.tif 000010
【図９】
2004363954.tif 000011
【図１０】
2004363954.tif 000012